(57)【特許請求の範囲】
【請求項１】
無線通信の方法であって、
ネットワークデバイスから第１の情報を受信するステップであり、前記第１の情報は、ランダムアクセスプリアンブル系列を生成するために使用される第１のパラメータを示す、ステップと、
前記ネットワークデバイスから第２の情報を受信するステップであり、前記第２の情報は、セットタイプが非制限セット、制限セットタイプＡ、又は制限セットタイプＢのうち１つであること示し、各セットタイプは、前記第１のパラメータの値のセットに関連づけられる、ステップと、
前記第１の情報及び前記第２の情報に従って前記第１のパラメータの値を決定するステップであり、
前記セットタイプが前記制限セットタイプＡであることに応答して、前記第１のパラメータの前記決定される値は、前記第１のパラメータの値の第１のセットのうち１つの値であり、前記第１のセットは、２１６、１９５、１７３、１５２、１３７、１３２、１２１、１１２、１０３、９４、８９、８１、７２、及び５７を含み、
前記セットタイプが前記制限セットタイプＢであることに応答して、前記第１のパラメータの前記決定される値は、前記第１のパラメータの値の第２のセットのうち１つの値であり、前記第２のセットは、１２２、１０９、９７、８５、８１、７７、７１、６８、６５、６３、６０、及び５７を含む、ステップと、
前記第１のパラメータの前記決定された値に基づいて前記ランダムアクセスプリアンブル系列を生成するステップと、
を含む方法。
【請求項２】
情報伝送方法であって、
ネットワークデバイスにより、第１の情報及び第２の情報を決定するステップであり、前記第１の情報は、ランダムアクセスプリアンブル系列を生成するために使用される第１のパラメータを示し、前記第２の情報は、セットタイプが非制限セット、制限セットタイプＡ、又は制限セットタイプＢのうち１つであること示し、各セットタイプは、前記第１のパラメータの値のセットに関連づけられ、
前記制限セットタイプＡに関連づけられた前記第１のパラメータの値の第１のセットが、２１６、１９５、１７３、１５２、１３７、１３２、１２１、１１２、１０３、９４、８９、８１、７２、及び５７を含み、前記制限セットタイプＢに関連づけられた前記第１のパラメータの値の第２のセットが、１２２、１０９、９７、８５、８１、７７、７１、６８、６５、６３、６０、及び５７を含む、ステップと、
前記ネットワークデバイスにより、前記第１の情報及び前記第２の情報を端末デバイスに送信するステップと、
を含む方法。
【請求項３】
前記第１のセットは３６をさらに含み、前記第２のセットは３６をさらに含む、請求項１又は２に記載の方法。
【請求項４】
前記第１の情報はゼロ相関ゾーン構成である、請求項１乃至３のうちいずれか１項に記載の方法。
【請求項５】
前記ネットワークデバイスから第３の情報を受信するステップであり、前記第３の情報は、前記ランダムアクセスプリアンブル系列を送信するために使用される時間周波数リソースを示す、ステップと、
前記第３の情報に基づいて前記ランダムアクセスプリアンブル系列を送信するステップと、
をさらに含む請求項１、３、及び４のうちいずれか１項に記載の方法。
【請求項６】
前記第１のパラメータは前記第１の情報により明示的に示され、あるいは前記第１のパラメータは前記第１の情報により暗黙的に示される、請求項１乃至５のうちいずれか１項に記載の方法。
【請求項７】
情報伝送装置であって、
ネットワークデバイスから第１の情報及び第２の情報を受信するように構成された受信ユニットであり、前記第１の情報は、ランダムアクセスプリアンブル系列を生成するために使用される第１のパラメータを示し、前記第２の情報は、セットタイプが非制限セット、制限セットタイプＡ、又は制限セットタイプＢのうち１つであること示し、各セットタイプは、前記第１のパラメータの値のセットに関連づけられる、受信ユニットと、
処理ユニットであり、
前記第１の情報及び前記第２の情報に従って前記第１のパラメータの値を決定し、
前記セットタイプが前記制限セットタイプＡであることに応答して、前記第１のパラメータの前記決定される値は、前記第１のパラメータの値の第１のセットのうち１つの値であり、前記第１のセットは、２１６、１９５、１７３、１５２、１３７、１３２、１２１、１１２、１０３、９４、８９、８１、７２、及び５７を含み、
前記セットタイプが前記制限セットタイプＢであることに応答して、前記第１のパラメータの前記決定される値は、前記第１のパラメータの値の第２のセットのうち１つの値であり、前記第２のセットは、１２２、１０９、９７、８５、８１、７７、７１、６８、６５、６３、６０、及び５７を含み、
前記受信ユニットにより受信された前記第１の情報に基づいて前記ランダムアクセスプリアンブル系列を生成するように構成された処理ユニットと、
を含む装置。
【請求項８】
情報伝送装置であって、
第１の情報及び第２の情報を決定するように構成された処理ユニットであり、前記第１の情報は、ランダムアクセスプリアンブル系列を生成するために使用される第１のパラメータを示し、前記第２の情報は、セットタイプが非制限セット、制限セットタイプＡ、又は制限セットタイプＢのうち１つであること示し、各セットタイプは、前記第１のパラメータの値のセットに関連づけられ、
前記制限セットタイプＡに関連づけられた前記第１のパラメータの値の第１のセットが、２１６、１９５、１７３、１５２、１３７、１３２、１２１、１１２、１０３、９４、８９、８１、７２、及び５７を含み、前記制限セットタイプＢに関連づけられた前記第１のパラメータの値の第２のセットが、１２２、１０９、９７、８５、８１、７７、７１、６８、６５、６３、６０、及び５７を含む、処理ユニットと、
第１の情報を端末デバイスに送信するように構成された送信ユニットと、
を含む装置。
【請求項９】
前記第１のセットは３６をさらに含み、前記第２のセットは３６をさらに含む、請求項７又は８に記載の装置。
【請求項１０】
前記第１の情報はゼロ相関ゾーン構成である、請求項７乃至９のうちいずれか１項に記載の装置。
【請求項１１】
当該装置はメモリをさらに含み、前記メモリは、値のセットとセットタイプとの間の関連づけを記憶するように構成される、請求項７乃至１０のうちいずれか１項に記載の装置。
【請求項１２】
当該装置はメモリをさらに含み、前記メモリは、ゼロ相関ゾーン構成とセットタイプと前記第１のパラメータの値との間の関連づけを記憶するように構成される、請求項７乃至１０のうちいずれか１項に記載の装置。
【請求項１３】
前記受信ユニットは、前記ネットワークデバイスから第３の情報を受信するようにさらに構成され、前記第３の情報は、前記ランダムアクセスプリアンブル系列を送信するために使用される時間周波数リソースを示し、
当該装置は、前記第３の情報に基づいて前記ランダムアクセスプリアンブル系列を送信するように構成された送信ユニット、をさらに含む請求項７に記載の装置。
【請求項１４】
前記第１のパラメータは前記第１の情報により明示的に示され、あるいは前記第１のパラメータは前記第１の情報により暗黙的に示される、請求項７乃至１３のうちいずれか１項に記載の装置。
【請求項１５】
コンピュータプログラムを含むコンピュータ読取可能記憶媒体であって、前記コンピュータプログラムがコンピュータ上で動作すると前記コンピュータは請求項１乃至６のうちいずれか１項に記載の情報伝送方法を実行する、コンピュータ読取可能記憶媒体。
【発明の詳細な説明】
【技術分野】
【０００１】
本出願は通信分野に関し、より具体的には通信分野における情報伝送方法及び装置に関する。
【背景技術】
【０００２】
ランダムアクセス処理は、無線通信システムにおいてかなり重要な役割を果たし、初期接続処理、ハンドオーバ処理、再確立選択処理、及び上りリンクリソース要求処理などのユーザ装置により実行される処理における重要なステップである。
【０００３】
ユーザ装置では、ランダムアクセスの主なタスクは、ランダムアクセスプリアンブル系列を生成し、送信することである。ランダムアクセスプリアンブル系列を生成及び送信する処理において、ユーザ装置は、まず、ネットワークデバイスからランダムアクセスプリアンブル系列を生成するために使用されるゼロ相関ゾーン又はセットタイプなどの情報を取得し、次いで、情報に基づいてランダムアクセスプリアンブル系列を生成し、ランダムアクセスプリアンブル系列をネットワークデバイスに送信する必要がある。
【０００４】
したがって、端末デバイスに対して、ランダムアクセスプリアンブル系列を生成するために使用される情報をどのように構成するかの問題を解決するために、解決策が提供される必要がある。
【発明の概要】
【０００５】
本出願は、端末デバイスに対して、ランダムアクセスプリアンブル系列を生成するために使用される情報を構成するための情報伝送方法及び装置を提供する。
【０００６】
第１の態様によれば、本出願は、情報伝送方法を提供する。当該方法は、
ネットワークデバイスにより、第１の情報を端末デバイスに送信するステップ、を含み、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０００７】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【０００８】
任意で、第１のパラメータはゼロ相関ゾーンでもよい。
【０００９】
本出願のこの実施形態で提供される情報伝送方法によれば、ネットワークデバイスは、端末デバイスに対して、ランダムアクセスプリアンブル系列を生成するために使用される第１のパラメータを構成することができ、そして、各再利用ファクタについて、ゼロ相関ゾーンの値が最大であり、具体的にはセルカバレッジ距離が最長であることが保証される。
【００１０】
第１の態様を参照し、第１の態様の第１の可能な実装において、ネットワークデバイスにより、第１の情報を端末デバイスに送信する前に、当該方法は、ネットワークデバイスにより、第１のパラメータを決定するステップをさらに含む。
【００１１】
第１の態様又は第１の態様の第１の可能な実装を参照し、第１の態様の第２の可能な実装において、当該方法は、ネットワークデバイスにより、第２の情報を端末デバイスに送信するステップをさらに含み、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む。
【００１２】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【００１３】
第１の態様の第２の可能な実装を参照し、第１の態様の第３の可能な実装において、セットタイプが制限セットタイプＡであるとき、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【００１４】
本出願のこの実施形態で提供される情報伝送方法によれば、端末デバイスが、制限セットタイプＡ及び制限セットタイプＢを使用することによりランダムアクセスプリアンブル系列を生成するとき、各再利用ファクタについて、ゼロ相関ゾーンの値が最大であり、具体的にはセルカバレッジ距離が最長であることが保証される。
【００１５】
第１の態様又は第１の態様の第１乃至第３の可能な実装のうちいずれか１つを参照し、第１の態様の第４の可能な実装において、当該方法は、ネットワークデバイスにより、第３の情報を端末デバイスに送信するステップをさらに含み、第３の情報は、ランダムアクセスプリアンブル系列を送信するために端末デバイスにより使用される時間周波数リソースを示すために使用される。
【００１６】
本出願のこの実施形態において、第３の情報が時間周波数リソースを示すために使用されることは、第３の情報が時間周波数リソースを明示的に示す及び／又は暗黙的に示すこととして理解され得ることを理解されたい。これは、本出願のこの実施形態において限定されない。
【００１７】
任意で、ネットワークデバイス及び端末デバイスが位置する通信システムのランダムアクセスチャネルのサブキャリア間隔は、１．２５ＫＨｚ、５ＫＨｚ、又は別の値でもよい。これは、本出願のこの実施形態において限定されない。
【００１８】
第２の態様によれば、本出願は、情報伝送方法を提供する。当該方法は、
端末デバイスにより、ネットワークデバイスから第１の情報を受信するステップであり、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである、ステップと、
端末デバイスにより、第１の情報に基づいてランダムアクセスプリアンブル系列を生成するステップと、を含む。
【００１９】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【００２０】
第２の態様を参照し、第２の態様の第１の可能な実装において、当該方法は、端末デバイスにより、ネットワークデバイスから第２の情報を受信するステップであり、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む、ステップ、をさらに含み、端末デバイスにより、第１の情報に基づいてランダムアクセスプリアンブル系列を生成するステップは、端末デバイスにより、第１の情報及び第２の情報に基づいてランダムアクセスプリアンブル系列を生成するステップを含む。
【００２１】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【００２２】
第２の態様の第１の可能な実装を参照し、第２の態様の第２の可能な実装において、セットタイプが制限セットタイプＡであるとき、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【００２３】
第２の態様又は第２の態様の第１若しくは第２の可能な実装を参照し、第２の態様の第３の可能な実装において、当該方法は、端末デバイスにより、ネットワークデバイスから第３の情報を受信するステップであり、第３の情報は、ランダムアクセスプリアンブル系列を送信するために端末デバイスにより使用される時間周波数リソースを示すために使用される、ステップ、をさらに含み、端末デバイスにより、第１の情報に基づいてランダムアクセスプリアンブル系列を生成するステップは、端末デバイスにより、第１の情報及び第３の情報に基づいてランダムアクセスプリアンブル系列を生成するステップを含む。
【００２４】
本出願のこの実施形態において、第３の情報が時間周波数リソースを示すために使用されることは、第３の情報が時間周波数リソースを明示的に示す及び／又は暗黙的に示すこととして理解され得ることを理解されたい。これは、本出願のこの実施形態において限定されない。
【００２５】
任意で、ネットワークデバイス及び端末デバイスが位置する通信システムのランダムアクセスチャネルのサブキャリア間隔は、１．２５ＫＨｚ、５ＫＨｚ、又は別の値でもよい。これは、本出願のこの実施形態において限定されない。
【００２６】
第３の態様によれば、本出願は、情報伝送方法を提供する。当該方法は、
ネットワークデバイスにより、第１の情報を端末デバイスに送信するステップ、を含み、第１の情報は、ランダムアクセスプリアンブル系列を生成するために端末デバイスにより使用される第１のパラメータを示すために使用され、第１のパラメータは、複数の値のうち少なくとも１つであり、複数の値は、異なる再利用ファクタに対応し、複数の値の各々は、値に対応する再利用ファクタによりサポートされる少なくとも１つの値の中の最大値であり、値に対応する再利用ファクタは、値に基づいてネットワークデバイスにより取得されるランダムアクセスプリアンブル系列によりサポートされるセルの数量を示し、隣接セルのランダムアクセスプリアンブル系列は異なる。
【００２７】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【００２８】
任意で、第１のパラメータはゼロ相関ゾーンでもよい。
【００２９】
本出願のこの実施形態で提供される情報伝送方法によれば、ネットワークデバイスは、端末デバイスに対して、ランダムアクセスプリアンブル系列を生成するために使用される第１のパラメータを構成することができ、各再利用ファクタについて、ゼロ相関ゾーンの値が最大であり、具体的にはセルカバレッジ距離が最長であることが保証される。
【００３０】
第３の態様を参照し、第３の態様の第１の可能な実装において、複数の値は、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７であり、あるいは複数の値は、１５３、１３７、１２２、１０９、９７、８５、８１、７７、７４、７１、６８、６５、６３、６０、５７、５５、５３、５１、５０、４８、４７、及び４５である。
【００３１】
第４の態様によれば、本出願は、情報伝送方法を提供する。当該方法は、
端末デバイスにより、ネットワークデバイスから第１の情報を受信するステップであり、第１の情報は、ランダムアクセスプリアンブル系列を生成するために端末デバイスにより使用される第１のパラメータを示すために使用され、第１のパラメータは、複数の値のうち少なくとも１つであり、複数の値は、異なる再利用ファクタに対応し、複数の値の各々は、値に対応する再利用ファクタによりサポートされる少なくとも１つの値の中の最大値であり、値に対応する再利用ファクタは、値に基づいてネットワークデバイスにより取得されるランダムアクセスプリアンブル系列によりサポートされるセルの数量を示し、隣接セルのランダムアクセスプリアンブル系列は異なる、ステップと、
端末デバイスにより、第１の情報に基づいてランダムアクセスプリアンブル系列を生成するステップと、を含む。
【００３２】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【００３３】
任意で、第１のパラメータはゼロ相関ゾーンでもよい。
【００３４】
第４の態様を参照し、第４の態様の第１の可能な実装において、複数の値は、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７であり、あるいは複数の値は、１５３、１３７、１２２、１０９、９７、８５、８１、７７、７４、７１、６８、６５、６３、６０、５７、５５、５３、５１、５０、４８、４７、及び４５である。
【００３５】
第５の態様によれば、本出願は、情報伝送方法を提供する。当該方法は、
ネットワークデバイスにより、第２の情報を端末デバイスに送信するステップ、を含み、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む。
【００３６】
任意で、第２の情報は、第１のフィールド内で搬送されてもよい。
【００３７】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【００３８】
任意の実施形態において、第２の情報は、セットタイプを明示的に示してもよい。例えば、ネットワークデバイスは、第１のフィールドを使用することにより、セットタイプが非制限セット、制限セットタイプＡ、又は制限セットタイプＢであることを明示的に示す。
【００３９】
別の任意の実施形態において、第２の情報は、セットタイプを暗黙的に示し得る。例えば、ネットワークデバイスは、第１のフィールドを端末デバイスに送信し、第１のフィールドは、第２のフィールドが送信されるかどうかを示すことにより、端末デバイスにより使用されるセットタイプが第１のタイプのセットであるか又は別のタイプのセット（第２のタイプのセットと第３のタイプのセットを含む）であるかを示すために使用され、第１のフィールドが、第２のフィールドが送信されることを示すとき、第２のフィールドは、セットタイプが第２のタイプのセット又は第３のタイプのセットであることを示すために使用される。
【００４０】
対応して、端末デバイスは、第２のフィールドが送信されるかどうかを示す第１のフィールドに基づいて、セットタイプが第１のタイプのセットであるか又は別のタイプのセット（第２のタイプのセットと第３のタイプのセットを含む）であるかを決定する。例えば、第１のフィールドが、第２のフィールドが送信されないことを示す場合、端末デバイスは、セットタイプが第１のタイプのセットであると決定し、あるいは、第１のフィールドが、第２のフィールドが送信されることを示す場合、端末デバイスは、セットタイプが別のタイプのセットであると決定する。第１のフィールドが、第２のフィールドが送信されることを示すとき、端末デバイスは、第２のフィールドに基づいて、セットタイプが第２のタイプのセット又は第３のタイプのセットであることをさらに決定する。
【００４１】
任意で、第１のフィールドが、第２のフィールドが送信されるかどうかを示すことにより端末デバイスに対して、セットタイプが第１のタイプのセットであるか又は別のタイプのセットであるかを示すために使用されることは、第１のフィールドが、端末デバイスが第２のフィールドを受信するかどうかを示すことにより、セットタイプが第１のタイプのセットであるか又は別のタイプのセットであるかを示すために使用されることとして理解されてもよく、あるいは、第１のフィールドが、端末デバイスにより受信されたシグナリングが第２のフィールドを含むかどうかを示すことにより、セットタイプが第１のタイプのセットであるか又は別のタイプのセットであるかを示すために使用されることとして理解されてもよい。これは、本出願のこの実施形態において限定されない。
【００４２】
第１のタイプのセット、第２のタイプのセット、及び第３のタイプのセットは、非制限セット、制限セットタイプＡ、及び制限セットタイプＢと１対１対応であることを理解されたい。しかしながら、特定の対応は、本出願のこの実施形態において限定されない。
【００４３】
任意で、第１のフィールド及び第２のフィールドは、同じシグナリング内で搬送されてもよく、あるいは異なるシグナリング内で搬送されてもよい。これは、本出願のこの実施形態において限定されない。
【００４４】
本出願のこの実施形態で提供される情報伝送方法によれば、ネットワークデバイスは、第２の情報を使用することにより端末デバイスに対して、ランダムアクセスプリアンブル系列を生成するために使用されるセットタイプを構成することができる。セットタイプは、非制限セット、制限セットタイプＡ、又は制限セットタイプＢである。
【００４５】
第５の態様を参照し、第５の態様の第１の可能な実装において、ネットワークデバイスにより、第２の情報を端末デバイスに送信する前に、当該方法は、ネットワークデバイスにより、セットタイプを決定するステップをさらに含む。
【００４６】
第５の態様又は第５の態様の第１の可能な実装を参照し、第５の態様の第２の可能な実装において、ネットワークデバイスにより、第２の情報を端末デバイスに送信するステップは、ネットワークデバイスにより、第１のシグナリングを使用することにより第２の情報を端末デバイスに送信するステップを含む。
【００４７】
任意で、第１のシグナリングは、既存のシグナリング又は新たに設計されたシグナリングでもよい。これは、本出願のこの実施形態において限定されない。
【００４８】
本出願のこの実施形態で提供される情報伝送方法によれば、３つのセットタイプは１つのシグナリングを使用することにより示すことができる。シグナリング手順が比較的簡素であり、構成が柔軟である。
【００４９】
第５の態様の第２の可能な実装を参照し、第５の態様の第３の可能な実装において、第２の情報は、第１のシグナリングの第１のフィールドで搬送される。
【００５０】
任意で、第１のシグナリングが既存のシグナリングであるとき、第１のフィールドは、既存のフィールド、又は第１のシグナリングにおける新たに追加されたフィールドでもよい。これは、本出願のこの実施形態において限定されない。
【００５１】
本出願のこの実施形態で提供される情報伝送方法によれば、３つのセットタイプは、第１のシグナリングにおいてフィールドを修正又は追加することにより端末デバイスに対して示すことができる。構成は柔軟かつ簡素である。
【００５２】
第５の態様又は第５の態様の第１乃至第３の可能な実装のうちいずれか１つを参照し、第５の態様の第４の可能な実装において、当該方法は、ネットワークデバイスにより、第１の情報を端末デバイスに送信するステップ、をさらに含み、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【００５３】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【００５４】
第５の態様又は第５の態様の第１乃至第４の可能な実装のうちいずれか１つを参照し、第５の態様の第５の可能な実装において、セットタイプが制限セットタイプＡであるとき、ランダムアクセスプリアンブル系列を生成するために端末デバイスにより使用される第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、セットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【００５５】
本出願のこの実施形態で提供される情報伝送方法によれば、制限セットタイプＡ及び制限セットタイプＢにおいて、同じ再利用ファクタに対応するゼロ相関ゾーンの値が最大であり、具体的にはセルカバレッジ距離が最長であることが保証できる。
【００５６】
第５の態様又は第５の態様の第１乃至第５の可能な実装のうちいずれか１つを参照し、第５の態様の第６の可能な実装において、当該方法は、ネットワークデバイスにより、第３の情報を端末デバイスに送信するステップをさらに含み、第３の情報は、ランダムアクセスプリアンブル系列を送信するために端末デバイスにより使用される時間周波数リソースを示すために使用される。
【００５７】
本出願のこの実施形態において、第３の情報が時間周波数リソースを示すために使用されることは、第３の情報が時間周波数リソースを明示的に示す及び／又は暗黙的に示すこととして理解され得ることを理解されたい。これは、本出願のこの実施形態において限定されない。
【００５８】
任意で、ネットワークデバイス及び端末デバイスが位置する通信システムのランダムアクセスチャネルのサブキャリア間隔は、１．２５ＫＨｚ、５ＫＨｚ、又は別の値でもよい。これは、本出願のこの実施形態において限定されない。
【００５９】
第６の態様によれば、本出願は、情報伝送方法を提供する。当該方法は、
端末デバイスにより、ネットワークデバイスから第２の情報を受信するステップであり、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む、ステップと、
端末デバイスにより、第２の情報に基づいてランダムアクセスプリアンブル系列を生成するステップと、を含む。
【００６０】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【００６１】
第６の態様を参照し、第６の態様の第１の可能な実装において、端末デバイスにより、ネットワークデバイスから第２の情報を受信するステップは、端末デバイスにより、第１のシグナリングを使用することによりネットワークデバイスから第２の情報を受信するステップを含む。
【００６２】
第６の態様の第１の可能な実装を参照し、第６の態様の第２の可能な実装において、第２の情報は、第１のシグナリングの第１のフィールドで搬送される。
【００６３】
第６の態様又は第６の態様の第１若しくは第２の可能な実装を参照し、第６の態様の第３の可能な実装において、当該方法は、端末デバイスにより、ネットワークデバイスから第１の情報を受信するステップ、をさらに含み、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つであり、端末デバイスにより、第２の情報に基づいてランダムアクセスプリアンブル系列を生成するステップは、端末デバイスにより、第２の情報及び第１の情報に基づいてランダムアクセスプリアンブル系列を生成するステップを含む。
【００６４】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【００６５】
第６の態様又は第６の態様の第１乃至第３の可能な実装のうちいずれか１つを参照し、第６の態様の第４の可能な実装において、セットタイプが制限セットタイプＡであるとき、ランダムアクセスプリアンブル系列を生成するために端末デバイスにより使用される第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【００６６】
第６の態様又は第６の態様の第１乃至第４の可能な実装のうちいずれか１つを参照し、第６の態様の第５の態様の可能な実装において、当該方法は、端末デバイスにより、ネットワークデバイスから第３の情報を受信するステップ、をさらに含み、第３の情報は、ランダムアクセスプリアンブル系列を送信するために端末デバイスにより使用される時間周波数リソースを示すために使用され、端末デバイスにより、第２の情報に基づいてランダムアクセスプリアンブル系列を生成するステップは、端末デバイスにより、第２の情報及び第３の情報に基づいてランダムアクセスプリアンブル系列を生成するステップを含む。
【００６７】
本出願のこの実施形態において、第３の情報が時間周波数リソースを示すために使用されることは、第３の情報が時間周波数リソースを明示的に示す及び／又は暗黙的に示すこととして理解され得ることを理解されたい。これは、本出願のこの実施形態において限定されない。
【００６８】
任意で、ネットワークデバイス及び端末デバイスが位置する通信システムのランダムアクセスチャネルのサブキャリア間隔は、１．２５ＫＨｚ、５ＫＨｚ、又は別の値でもよい。これは、本出願のこの実施形態において限定されない。
【００６９】
第７の態様によれば、本出願は、第１の態様又は第１の態様の可能な実装のうちいずれか１つに従う方法を実行するように構成された情報伝送装置を提供する。
【００７０】
第８の態様によれば、本出願は、第２の態様又は第２の態様の可能な実装のうちいずれか１つに従う方法を実行するように構成された情報伝送装置を提供する。
【００７１】
第９の態様によれば、本出願は、第３の態様又は第３の態様の可能な実装のうちいずれか１つに従う方法を実行するように構成された情報伝送装置を提供する。
【００７２】
第１０の態様によれば、本出願は、第４の態様又は第４の態様の可能な実装のうちいずれか１つに従う方法を実行するように構成された情報伝送装置を提供する。
【００７３】
第１１の態様によれば、本出願は、第５の態様又は第５の態様の可能な実装のうちいずれか１つに従う方法を実行するように構成された情報伝送装置を提供する。
【００７４】
第１２の態様によれば、本出願は、第６の態様又は第６の態様の可能な実装のうちいずれか１つに従う方法を実行するように構成された情報伝送装置を提供する。
【００７５】
第１３の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第１の態様又は第１の態様の可能な実装のうちいずれか１つに従う方法を実行する。
【００７６】
第１４の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第２の態様又は第２の態様の可能な実装のうちいずれか１つに従う方法を実行する。
【００７７】
第１５の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第３の態様又は第３の態様の可能な実装のうちいずれか１つに従う方法を実行する。
【００７８】
第１６の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第４の態様又は第４の態様の可能な実装のうちいずれか１つに従う方法を実行する。
【００７９】
第１７の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第５の態様又は第５の態様の可能な実装のうちいずれか１つに従う方法を実行する。
【００８０】
第１８の態様によれば、本出願は、情報伝送装置を提供する。当該装置は、メモリと、プロセッサと、トランシーバと、メモリに記憶されプロセッサ上で動作可能なコンピュータプログラムとを含む。コンピュータプログラムを実行すると、プロセッサは第６の態様又は第６の態様の可能な実装のうちいずれか１つに従う方法を実行する。
【００８１】
第１９の態様によれば、本出願は、コンピュータプログラムを記憶するように構成されたコンピュータ読取可能媒体を提供する。当該コンピュータプログラムは、第１の態様又は第１の態様の可能な実装のうちいずれか１つに従う方法を実行するために使用される命令を含む。
【００８２】
第２０の態様によれば、本出願は、コンピュータプログラムを記憶するように構成されたコンピュータ読取可能媒体を提供する。当該コンピュータプログラムは、第２の態様又は第２の態様の可能な実装のうちいずれか１つに従う方法を実行するために使用される命令を含む。
【００８３】
第２１の態様によれば、本出願は、コンピュータプログラムを記憶するように構成されたコンピュータ読取可能媒体を提供する。当該コンピュータプログラムは、第３の態様又は第３の態様の可能な実装のうちいずれか１つに従う方法を実行するために使用される命令を含む。
【００８４】
第２２の態様によれば、本出願は、コンピュータプログラムを記憶するように構成されたコンピュータ読取可能媒体を提供する。当該コンピュータプログラムは、第４の態様又は第４の態様の可能な実装のうちいずれか１つに従う方法を実行するために使用される命令を含む。
【００８５】
第２３の態様によれば、本出願は、コンピュータプログラムを記憶するように構成されたコンピュータ読取可能媒体を提供する。当該コンピュータプログラムは、第５の態様又は第５の態様の可能な実装のうちいずれか１つに従う方法を実行するために使用される命令を含む。
【００８６】
第２４の態様によれば、本出願は、コンピュータプログラムを記憶するように構成されたコンピュータ読取可能媒体を提供する。当該コンピュータプログラムは、第６の態様又は第６の態様の可能な実装のうちいずれか１つに従う方法を実行するために使用される命令を含む。
【００８７】
第２５の態様によれば、本出願は、命令を含むコンピュータプログラムプロダクトを提供する。当該コンピュータプログラムプロダクトがコンピュータ上で動作すると、コンピュータは第１の態様又は第１の態様の可能な実装のうちいずれか１つに従う方法を実行する。
【００８８】
第２６の態様によれば、本出願は、命令を含むコンピュータプログラムプロダクトを提供する。当該コンピュータプログラムプロダクトがコンピュータ上で動作すると、コンピュータは第２の態様又は第２の態様の可能な実装のうちいずれか１つに従う方法を実行する。
【００８９】
第２７の態様によれば、本出願は、命令を含むコンピュータプログラムプロダクトを提供する。当該コンピュータプログラムプロダクトがコンピュータ上で動作すると、コンピュータは第３の態様又は第３の態様の可能な実装のうちいずれか１つに従う方法を実行する。
【００９０】
第２８の態様によれば、本出願は、命令を含むコンピュータプログラムプロダクトを提供する。当該コンピュータプログラムプロダクトがコンピュータ上で動作すると、コンピュータは第４の態様又は第４の態様の可能な実装のうちいずれか１つに従う方法を実行する。
【００９１】
第２９の態様によれば、本出願は、命令を含むコンピュータプログラムプロダクトを提供する。当該コンピュータプログラムプロダクトがコンピュータ上で動作すると、コンピュータは第５の態様又は第５の態様の可能な実装のうちいずれか１つに従う方法を実行する。
【００９２】
第３０の態様によれば、本出願は、命令を含むコンピュータプログラムプロダクトを提供する。当該コンピュータプログラムプロダクトがコンピュータ上で動作すると、コンピュータは第６の態様又は第６の態様の可能な実装のうちいずれか１つに従う方法を実行する。
【００９３】
第３１の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第１の態様又は第１の態様の可能な実装のうちいずれか１つに従う方法を実行するように構成される。
【００９４】
第３２の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第２の態様又は第２の態様の可能な実装のうちいずれか１つに従う方法を実行するように構成される。
【００９５】
第３３の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第３の態様又は第３の態様の可能な実装のうちいずれか１つに従う方法を実行するように構成される。
【００９６】
第３４の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第４の態様又は第４の態様の可能な実装のうちいずれか１つに従う方法を実行するように構成される。
【００９７】
第３５の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第５の態様又は第５の態様の可能な実装のうちいずれか１つに従う方法を実行するように構成される。
【００９８】
第３６の態様によれば、本出願は、入力インターフェース、出力インターフェース、少なくとも１つのプロセッサ、及びメモリを含むチップを提供する。入力インターフェース、出力インターフェース、プロセッサ、及びメモリは、バスを使用することにより接続され、プロセッサは、メモリ内のコードを実行するように構成され、コードが実行されると、プロセッサは第６の態様又は第６の態様の可能な実装のうちいずれか１つに従う方法を実行するように構成される。
【図面の簡単な説明】
【００９９】
【図１】本出願の一実施形態による通信システムの概略アーキテクチャ図である。
【図２】本出願の一実施形態による情報伝送方法の概略フローチャートである。
【図３】本出願の一実施形態による別の情報伝送方法の概略フローチャートである。
【図４】本出願の一実施形態による、さらに別の情報伝送方法の概略フローチャートである。
【図５】本出願の一実施形態による情報伝送装置の概略ブロック図である。
【図６】本出願の一実施形態による別の情報伝送装置の概略ブロック図である。
【図７】本出願の一実施形態による、さらに別の情報伝送装置の概略ブロック図である。
【図８】本出願の一実施形態による、さらに別の情報伝送装置の概略ブロック図である。
【図９】本出願の一実施形態による、さらに別の情報伝送装置の概略ブロック図である。
【図１０】本出願の一実施形態による、さらに別の情報伝送装置の概略ブロック図である。
【図１１】本出願の一実施形態による、さらに別の情報伝送装置の概略ブロック図である。
【図１２】本出願の一実施形態による、さらに別の情報伝送装置の概略ブロック図である。
【発明を実施するための形態】
【０１００】
添付の図面を参照して、本出願の技術的解決策を以下に説明する。
【０１０１】
本出願の実施形態の技術的解決策は、グローバルシステムフォーモバイルコミュニケーション（global  system  for  mobile  communication、ＧＳＭ）システム、符号分割多元接続（code  division  multiple  access、ＣＤＭＡ）システム、広帯域符号分割多元接続（wideband  code  division  multiple  access、ＷＣＤＭＡ）システム、汎用パケット無線サービス（general  packet  radio  service、ＧＰＲＳ）、ＬＴＥシステム、ＬＴＥ周波数分割複信（frequency  division  duplex、ＦＤＤ）システム、ＬＴＥ時分割複信（time  division  duplex、ＴＤＤ）システム、ユニバーサル移動体通信システム（universal  mobile  telecommunication  system、ＵＭＴＳ）、ワールドワイドインターオペラビリティフォーマイクロウェーブアクセス（worldwide  interoperability  for  microwave  access、ＷｉＭＡＸ）通信システム、無線ローカルエリアネットワーク（wireless  local  area  network、ＷＬＡＮ）、将来の第５世代（5th  generation、５Ｇ）システム、又はニューラジオ（new  radio、ＮＲ）などの様々な通信システムに適用され得ることを理解されたい。
【０１０２】
図１は、本出願の一実施形態による通信システム１００の概略アーキテクチャ図である。図１に示すように、通信システム１００は、少なくとも１つのネットワークデバイス（図１はネットワークデバイス１１０を示す）と、少なくとも１つの端末デバイス（図１は端末デバイス１２０を示す）を含んでもよく、少なくとも１つのネットワークデバイスは、少なくとも１つの端末デバイスと無線通信を行うことができる。
【０１０３】
図１は、一例として１つのネットワークデバイスと１つの端末デバイスを示す。任意で、通信システム１００は、複数のネットワークデバイスを含んでもよく、各ネットワークデバイスのカバレッジエリアが、別の数量の端末デバイスを含んでもよい。これは、本発明のこの実施形態において限定されない。任意で、通信システム１００は、ネットワークコントローラ又はモビリティ管理エンティティなどの別のネットワークエンティティをさらに含んでもよい。これは、本出願のこの実施形態において限定されない。
【０１０４】
任意で、ネットワークデバイスは、特定の地理的エリアのための通信カバレッジを提供してもよく、カバレッジエリア内に位置するＵＥと通信してもよい。ネットワークデバイスは、ＧＳＭシステム又はＣＤＭＡシステムにおけるベーストランシーバ局（base  transceiver  station、ＢＴＳ）でもよく、あるいはＷＣＤＭＡシステムにおけるノードＢ（nodeB、ＮＢ）でもよく、あるいはＬＴＥシステムにおける進化型ノードＢ（evolved  node  B、ｅＮＢ、又はｅＮｏｄｅＢ）でもよく、あるいはクラウド無線アクセスネットワーク（cloud  radio  access  network、ＣＲＡＮ）における無線コントローラでもよい。ネットワークデバイスは、代替的に、コアネットワーク、中継局、アクセスポイント、車載デバイス、ウェアラブルデバイス、将来の５Ｇネットワークにおけるネットワーク側デバイス、将来の進化した公衆陸上移動体ネットワーク（public  land  mobile  network、ＰＬＭＮ）におけるネットワークデバイスなどでもよい。
【０１０５】
任意で、端末デバイスは、移動可能でもよく、あるいは固定でもよい。端末デバイスは、アクセス端末、ユーザ装置（user  equipment、ＵＥ）、加入者ユニット、加入者局、移動局、モバイルコンソール、リモート局、リモート端末、モバイルデバイス、ユーザ端末、端末、無線通信デバイス、ユーザエージェント、ユーザ装置等でもよい。アクセス端末は、セルラーフォン、コードレス電話、セッション開始プロトコル（session  initiation  protocol、ＳＩＰ）電話、無線ローカルループ（wireless  local  loop、ＷＬＬ）局、パーソナルデジタルアシスタント（personal  digital  assistant、ＰＤＡ）、無線通信機能を有するハンドヘルドデバイス、無線モデムに接続されたコンピューティングデバイス又は別の処理デバイス、車載デバイス、ウェアラブルデバイス、将来の５Ｇネットワークにおける端末デバイス、将来の進化したＰＬＭＮにおける端末デバイスなどでもよい。
【０１０６】
ＬＴＥシステムにおいて、ネットワークデバイス１１０は、ランダムアクセスプリアンブル（preamble）系列を生成するために使用される情報を端末デバイス１２０に送信するように構成される。端末デバイス１２０は、ネットワークデバイス１１０から情報を受信し、情報に基づいてランダムアクセスプリアンブル系列を生成し、ネットワークデバイス１１０にランダムアクセスプリアンブル系列を送信してネットワークデバイスにアクセスするように構成される。
【０１０７】
本出願のこの実施形態におけるランダムアクセスプリアンブル系列は、ランダムアクセスのために端末デバイスにより使用されるプリアンブル系列として理解され得ることを理解されたい。
【０１０８】
任意で、ランダムアクセスプリアンブル系列を生成するために使用される情報は、ゼロ相関ゾーン（zero  correlation  zone）、ランダムアクセスプリアンブル系列を生成するために使用されるセットタイプなどを含んでもよい。これは、本出願のこの実施形態において限定されない。
【０１０９】
任意で、セットタイプは、非制限セット（unrestricted  set）、制限セットタイプＡ（restricted  set  type  A）、又は制限セットタイプＢ（restricted  set  type  B）を含んでもよい。これは、本出願のこの実施形態において限定されない。
【０１１０】
ゼロ相関ゾーンは、ランダムアクセスプリアンブル系列を生成する処理において必要とされる重要なパラメータであることを理解されたい。
【０１１１】
さらに、異なるセットタイプが異なるランダムアクセスプリアンブル系列生成方法に対応することを理解されたい。
【０１１２】
表１は、３つのセットタイプがランダムアクセスプリアンブル系列を生成するために使用されるときのゼロ相関ゾーン構成に対応する値（ＮＣＳ）を示す。
【表１】
0006908779.tif 000002
【０１１３】
例えば、ネットワークデバイスは、端末デバイスに対して、制限セットタイプＡを使用してランダムアクセスプリアンブル系列を生成するように指示し、ネットワークデバイスは、端末デバイスにより使用されるゼロ相関ゾーン構成パラメータの値が１であるとき、端末デバイスが（表１で下線付き太字フォントを用いて示すように）Ｎｃｓ＝１８及び制限セットタイプＡに対応するランダムアクセスプリアンブル系列生成方法を使用することによりランダムアクセスプリアンブル系列を生成できることをさらに示す。
【０１１４】
ＬＴＥシステムにおいて、物理ランダムアクセスチャネル（physical  random  access  channel、ＰＲＡＣＨ）のサブキャリア間隔は１．２５ＫＨｚ（キロヘルツ）であり、サブキャリア間隔が１．２５ＫＨｚであるＰＲＡＣＨ（これは簡潔にはＸフォーマットと呼ばれ、複数のサブフォーマットを含み得る）の直交周波数分割多重（orthogonal  frequency  division  multiplexing、ＯＦＤＭ）シンボルの長さは８００ミリ秒であることを理解されたい。
【０１１５】
さらに、本出願のこの実施形態におけるＰＲＡＣＨのＯＦＤＭシンボルの長さは、サイクリックプレフィックス（cyclic  prefix、ＣＰ）を含まないことを理解されたい。
【０１１６】
表２は、Ｘフォーマットにおけるゼロ相関ゾーンとセルカバレッジ（具体的には、セル半径）との間の対応を示す。表２から、より大きい値のＮＣＳはより広いセルカバレッジを示すことを習得できる。
【表２】
0006908779.tif 000003
【０１１７】
しかしながら、通信技術の継続的な発展と、伝送速度や伝送性能に対してますます高まるユーザの要求に伴い、ＮＲシステムにおいて、サブキャリア間隔が５ＫＨｚであるＰＲＡＣＨ（これは簡潔にはＹフォーマットと呼ばれ、複数のサブフォーマットを含み得る）が提供され、サブキャリア間隔が５ＫＨｚであるＰＲＡＣＨのＯＦＤＭシンボルの長さは２００ミリ秒である。
【０１１８】
表３は、ＹフォーマットにおけるＮｃｓとセルカバレッジとの間の対応を示し、対応は、ＸフォーマットにおけるＮＣＳに基づいてＹフォーマットにおけるＮＣＳを構成することにより取得されている。
【表３】
0006908779.tif 000004
【０１１９】
表２及び表３に基づいて、Ｘフォーマットにおけるセルカバレッジは、同じＮＣＳ値ではＹフォーマットにおけるセルカバレッジと異なり、ＸフォーマットにおけるＮＣＳのいくつかの値に基づいてＹフォーマットにおけるＮＣＳの値を構成することにより計算を通して得られるＹフォーマットにおけるセルカバレッジ半径は、小さすぎることを習得できる。
【０１２０】
例えば、表２において、Ｘフォーマットにおいて、ＮＣＳが２２でありセットタイプが非制限セットであるとき、セルカバレッジは（表２で下線付き太字フォントを用いて示すように）２１５８．５５である。しかしながら、Ｙフォーマットにおいて、ＮＣＳが２２でありセットタイプが非制限セットであるとき、セルカバレッジは（表３で下線付き太字フォントを用いて示すように）わずか１３．１４である。
【０１２１】
ＬＴＥシステムは、ＮＣＳ構成の１６個の値をサポートする。したがって、ＸフォーマットにおけるＮＣＳ構成から、Ｙフォーマットにおいてセルカバレッジが小さすぎるＮＣＳ構成を除外すると、使用できるＮＣＳ構成の数は少ない。
【０１２２】
結論として、既存のＸフォーマットにおけるすべてのＮＣＳ構成がＹフォーマットに適用可能なわけではなく、それにより、ＮＲシステムにおけるＰＲＡＣＨに適用可能な異なるサブキャリア間隔を満たすために、新しいＮＣＳ構成が提供される必要がある。
【０１２３】
本出願の一実施形態は、端末デバイスに対して、ランダムアクセスプリアンブル系列を生成するために使用される情報を構成するための情報伝送方法を提供する。ランダムアクセスプリアンブル系列を生成するために使用される情報は、ＮＣＳを含むことを理解されたい。
【０１２４】
図２は、本出願の一実施形態による情報伝送方法２００の概略フローチャートである。方法２００は、図１に示す通信システムに適用できる。
【０１２５】
Ｓ２１０．ネットワークデバイスが、第１の情報を端末デバイスに送信し、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つであり、対応して、端末デバイスが、ネットワークデバイスから第１の情報を受信する。
【０１２６】
Ｓ２２０．端末デバイスが、第１の情報に基づいてランダムアクセスプリアンブル系列を生成する。
【０１２７】
第１のパラメータはゼロ相関ゾーンでもよく、第１のパラメータの値は本出願の実施形態におけるＮＣＳの値でもよいことを理解されたい。
【０１２８】
任意で、Ｓ２１０の前に、ネットワークデバイスは、第１のパラメータを最初に決定してもよい。
【０１２９】
任意で、Ｓ２２０において、端末デバイスにより、第１の情報に基づいてランダムアクセスプリアンブル系列を生成することは、端末デバイスにより、第１の情報に基づいて第１のパラメータを決定することと、第１のパラメータに基づいてランダムアクセスプリアンブル系列を生成することでもよい。
【０１３０】
任意で、第１の情報が第１のパラメータを示すために使用されることは、第１の情報が第１のパラメータを含むこと、又は第１の情報が第１のパラメータを示すために使用される指示情報であることとして理解されてもよい。これは、本出願のこの実施形態において限定されない。
【０１３１】
本出願のこの実施形態で提供される情報伝送方法によれば、ネットワークデバイスは、端末デバイスに対して、ランダムアクセスプリアンブル系列を生成するために使用される第１のパラメータを構成することができ、各再利用ファクタ（reuse  factor）について、ゼロ相関ゾーンの値が最大であり、具体的にはセルカバレッジ距離が最長であることが保証される。
【０１３２】
ＬＴＥシステムでは、ランダムアクセスプリアンブル系列を生成するために使用される合計８３８個のルート系列（root  sequences）が定義されることを理解されたい。同じルート系列について、異なるＮＣＳに基づいて異なる数量のランダムアクセスプリアンブル系列が取得される。同じルート系列及び同じＮＣＳについて、異なるセットタイプに対応する生成方法に基づいて異なる数量のランダムアクセスプリアンブル系列が取得される。
【０１３３】
表４は、制限セットタイプＡに対応する生成方法を使用することによりランダムアクセスプリアンブル系列が生成されるときの、ＮＣＳと、８３８個のルート系列に基づき生成可能なランダムアクセスプリアンブル系列の数量と間の対応を示す。
【０１３４】
表４に示すように、Ｍはランダムアクセスプリアンブル系列の数量を示し、Ｎは再利用ファクタの数量を示し、ＮＣＳはゼロ相関ゾーンを示す。
【表４】
0006908779.tif 000005
0006908779.tif 000006
【０１３５】
本出願のこの実施形態で提供される再利用ファクタは、ＮＣＳに基づいて取得されたランダムアクセスプリアンブル系列によりサポートされるセルの数量として理解され得ることを理解されたい。
【０１３６】
例えば、表４で直線の下線付きの太字フォントを用いて示すように、Ｎｃｓ＝１９５では、制限セットタイプＡに対応する生成方法を使用することによりランダムアクセスプリアンブル系列が生成されるとき、２５６個のランダムアクセスプリアンブル系列が取得可能である。セル間干渉を回避するために、異なるランダムアクセスプリアンブル系列が、隣接セルにおいて可能な限り使用されてもよい。各セルにおける各ＰＲＡＣＨ時間周波数リソースが６４個のランダムアクセスプリアンブル系列をサポートするとき、２５６個のランダムアクセスプリアンブル系列は、最大４つ（２５６／６４＝４）のセルにサービスする（serve）ことができ、具体的には、再利用ファクタが４である。したがって、実際のネットワーク展開において、４つのセル内の端末デバイスは、異なるランダムアクセスプリアンブル系列を使用することによりネットワークデバイスにアクセスすることができる。
【０１３７】
別の例として、表４で波形の下線付きの太字フォントを用いて示すように、Ｎｃｓ＝１７４では、制限セットタイプＡに対応する生成方法を使用することによりランダムアクセスプリアンブル系列が生成されるとき、３１８個のランダムアクセスプリアンブル系列が取得可能である。セル間干渉を回避するために、異なるランダムアクセスプリアンブル系列が、隣接セルにおいて可能な限り使用されてもよい。各セルにおける各ＰＲＡＣＨ時間周波数リソースが６４個のランダムアクセスプリアンブル系列をサポートするとき、３１８個のランダムアクセスプリアンブル系列は、最大４つ（３１８／６４＝４、残り６２）のセルにサービスすることができ、具体的には、再利用ファクタが４である。したがって、実際のネットワーク展開において、４つのセル内の端末デバイスは、異なるランダムアクセスプリアンブル系列を使用することによりネットワークデバイスにアクセスすることができる。
【０１３８】
表５は、制限セットタイプＢに対応する生成方法を使用することによりランダムアクセスプリアンブル系列が生成されるときの、ＮＣＳと、８３８個のルート系列に基づき生成可能なランダムアクセスプリアンブル系列の数量と間の対応を示す。
【０１３９】
表５に示すように、Ｍはランダムアクセスプリアンブル系列の数量を示し、Ｎは再利用ファクタの数量を示し、ＮＣＳはゼロ相関ゾーンを示す。
【表５】
0006908779.tif 000007
【０１４０】
例えば、表５で直線の下線付きの太字フォントを用いて示すように、Ｎｃｓ＝１０９では、制限セットタイプＢに対応する生成方法を使用することによりランダムアクセスプリアンブル系列が生成されるとき、２６２個のランダムアクセスプリアンブル系列が取得可能である。セル間干渉を回避するために、異なるランダムアクセスプリアンブル系列が、隣接セルにおいて可能な限り使用されてもよい。各セルにおける各ＰＲＡＣＨ時間周波数リソースが６４個のランダムアクセスプリアンブル系列をサポートするとき、２６２個のランダムアクセスプリアンブル系列は、最大４つ（２６２／６４＝４、残り６）のセルにサービスすることができ、具体的には、再利用ファクタが４である。したがって、実際のネットワーク展開において、４つのセル内の端末デバイスは、異なるランダムアクセスプリアンブル系列を使用することによりネットワークデバイスにアクセスすることができる。
【０１４１】
別の例として、表５で波形の下線付きの太字フォントを用いて示すように、Ｎｃｓ＝９８では、制限セットタイプＢに対応する生成方法を使用することによりランダムアクセスプリアンブル系列が生成されるとき、３１８個のランダムアクセスプリアンブル系列が取得可能である。セル間干渉を回避するために、異なるランダムアクセスプリアンブル系列が、隣接セルにおいて可能な限り使用されてもよい。各セルにおける各ＰＲＡＣＨ時間周波数リソースが６４個のランダムアクセスプリアンブル系列をサポートするとき、３１８個のランダムアクセスプリアンブル系列は、最大４つ（３１８／６４＝４、残り６２）のセルにサービスすることができ、具体的には、再利用ファクタが４である。したがって、実際のネットワーク展開において、４つのセル内の端末デバイスは、異なるランダムアクセスプリアンブル系列を使用することによりネットワークデバイスにアクセスすることができる。
【０１４２】
表４及び表５から、異なるＮＣＳは、異なるセルカバレッジ及び異なる数量の生成ランダムアクセスプリアンブル系列に対応することを習得できる。しかしながら、異なるＮＣＳが同じ再利用ファクタに対応し得る。
【０１４３】
具体的には、同じ再利用ファクタが１つ以上のＮＣＳをサポートし得る。複数のＮＣＳは、異なるセルカバレッジと、生成可能な異なる数量のランダムアクセスプリアンブル系列に対応する。
【０１４４】
本出願のこの実施形態で提供される情報伝送方法によれば、同じ再利用ファクタに対応する１つ以上のＮＣＳの中で最も広いセルカバレッジに対応するＮＣＳが、ランダムアクセスプリアンブル系列を生成するために端末デバイスにより使用される第１のパラメータとして使用され、第１の情報が端末デバイスに送信され、第１の情報は第１のパラメータを示すために使用される。
【０１４５】
具体的には、同じ再利用ファクタについて、再利用ファクタに対応する１つ以上のＮＣＳの中の最大値が選択され、ＮＣＳに対応するセルカバレッジが最も広いことを保証する。
【０１４６】
例えば、表４に示すように、制限セットタイプＡでは、再利用ファクタ４によりサポートされるＮＣＳは、１７４、１７５、．．．、及び１９５を含む。より大きいＮＣＳがより広いセルカバレッジを示す原理に従い、再利用ファクタ４では、ＮＣＳが１９５であるときセルカバレッジが最も広いことを習得できる。
【０１４７】
したがって、同じ再利用ファクタについてセルカバレッジを最大化するためには、制限セットタイプＡでは、再利用ファクタが４であるときＮＣＳ＝１９５である。
【０１４８】
同様に、制限セットタイプＡでは、再利用ファクタが１であるときＮＣＳ＝２３８、再利用ファクタが２であるときＮＣＳ＝２３７、再利用ファクタが３であるときＮＣＳ＝２１６、再利用ファクタが４であるときＮＣＳ＝１９５、再利用ファクタが５であるときＮＣＳ＝１７３、再利用ファクタが６であるときＮＣＳ＝１５２、再利用ファクタが７であるときＮＣＳ＝１３７、再利用ファクタが８であるときＮＣＳ＝１３２、再利用ファクタが９であるときＮＣＳ＝１２７、再利用ファクタが１０であるときＮＣＳ＝１２１、再利用ファクタが１１であるときＮＣＳ＝１１７、再利用ファクタが１２であるときＮＣＳ＝１１２、再利用ファクタが１３であるときＮＣＳ＝１０８、再利用ファクタが１４であるときＮＣＳ＝１０３、再利用ファクタが１５であるときＮＣＳ＝９９、再利用ファクタが１６であるときＮＣＳ＝９４、再利用ファクタが１７であるときＮＣＳ＝９１、再利用ファクタが１８であるときＮＣＳ＝８９、再利用ファクタが１９であるときＮＣＳ＝８６、再利用ファクタが２０であるときＮＣＳ＝８４、再利用ファクタが２１であるときＮＣＳ＝８１、再利用ファクタが２２であるときＮＣＳ＝７７、再利用ファクタが２３であるときＮＣＳ＝７４、再利用ファクタが２４であるときＮＣＳ＝７２、再利用ファクタが２５であるときＮＣＳ＝６９、再利用ファクタが２６であるときＮＣＳ＝６８、再利用ファクタが２７であるときＮＣＳ＝６７、再利用ファクタが２８であるときＮＣＳ＝６６、再利用ファクタが２９であるときＮＣＳ＝６４、再利用ファクタが３０であるときＮＣＳ＝６３、再利用ファクタが３１であるときＮＣＳ＝６２、再利用ファクタが３２であるときＮＣＳ＝６１、再利用ファクタが３３であるときＮＣＳ＝５９、再利用ファクタが３４であるときＮＣＳ＝５８、再利用ファクタが３５であるときＮＣＳ＝５７、再利用ファクタが３６であるときＮＣＳ＝５６であり、以下同様である。
【０１４９】
別の例として、表５に示すように、制限セットタイプＢでは、再利用ファクタ４によりサポートされるＮＣＳは、９８、９９、．．．、及び１０９を含む。より大きいＮＣＳがより広いセルカバレッジを示す原理に従い、再利用ファクタ４では、ＮＣＳが１０９であるときセルカバレッジが最も広いことを習得できる。
【０１５０】
したがって、同じ再利用ファクタについてセルカバレッジを最大化するためには、制限セットタイプＢでは、再利用ファクタが４であるときＮＣＳ＝１０９である。
【０１５１】
同様に、制限セットタイプＢでは、再利用ファクタが１であるときＮＣＳ＝１５３、再利用ファクタが２であるときＮＣＳ＝１３７、再利用ファクタが３であるときＮＣＳ＝１２２、再利用ファクタが４であるときＮＣＳ＝１０９、再利用ファクタが５であるときＮＣＳ＝９７、再利用ファクタが６であるときＮＣＳ＝８５、再利用ファクタが７であるときＮＣＳ＝８１、再利用ファクタが８であるときＮＣＳ＝７７、再利用ファクタが９であるときＮＣＳ＝７４、再利用ファクタが１０であるときＮＣＳ＝７１、再利用ファクタが１１であるときＮＣＳ＝６８、再利用ファクタが１２であるときＮＣＳ＝６５、再利用ファクタが１３であるときＮＣＳ＝６３、再利用ファクタが１４であるときＮＣＳ＝６０、再利用ファクタが１５であるときＮＣＳ＝５７、再利用ファクタが１６であるときＮＣＳ＝５５、再利用ファクタが１７であるときＮＣＳ＝５３、再利用ファクタが１８であるときＮＣＳ＝５１、再利用ファクタが１９であるときＮＣＳ＝５０、再利用ファクタが２０であるときＮＣＳ＝４８、再利用ファクタが２１であるときＮＣＳ＝４７、再利用ファクタが２２であるときＮＣＳ＝４５、再利用ファクタが２３であるときＮＣＳ＝４３、再利用ファクタが２４であるときＮＣＳ＝４２、再利用ファクタが２５であるときＮＣＳ＝４１、再利用ファクタが２６であるときＮＣＳ＝４０、再利用ファクタが２７であるときＮＣＳ＝３９であり、以下同様である。
【０１５２】
したがって、本出願のこの実施形態において、第１のパラメータは複数の値のうち少なくとも１つでもよく、複数の値は異なる再利用ファクタに対応し、複数の値の各々は、該値に対応する再利用ファクタによりサポートされる少なくとも１つの値の中の最大値であり、該値に対応する再利用ファクタは、該値に基づいてネットワークデバイスにより取得されるランダムアクセスプリアンブル系列によりサポートされるセルの数量を示し、隣接セルのランダムアクセスプリアンブル系列は異なる。
【０１５３】
任意で、複数の値は、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７であり、あるいは複数の値は、１５３、１３７、１２２、１０９、９７、８５、８１、７７、７４、７１、６８、６５、６３、６０、５７、５５、５３、５１、５０、４８、４７、４５、４３、４２、４１、４０、及び３９である。
【０１５４】
本出願のこの実施形態において、複数の値は、条件を満たし例として列挙された前述の値に限定されず、代替的に、表内の条件を満たす他の値でもよく、他の値は、本出願において１つずつ列挙されないことを理解されたい。
【０１５５】
任意で、本出願のこの実施形態における複数の値は、代替的に、表４又は表５内の他の値でもよい。これは、本出願のこの実施形態において限定されない。
【０１５６】
さらに、表４及び表５は、制限セットタイプＡ及び制限セットタイプＢについて再利用ファクタとＮＣＳとの間の単に例示的な対応を示すことを理解されたい。再利用ファクタとＮＣＳとの間の他の対応がさらに存在する可能性があり、他の対応において、選択されたＮＣＳが同じ再利用ファクタに対応する最大値である条件が満たされるという条件で、選択されたＮＣＳは、本出願のこの実施形態における複数の値に属することができる。これは、本出願のこの実施形態において限定されない。
【０１５７】
さらに、ネットワークデバイス及び端末デバイスが、プロトコルを使用することにより複数の値について合意してもよく、あるいはネットワークデバイスが、高レイヤシグナリングを使用することにより複数の値を端末デバイスに示してもよいことを理解されたい。これは、本出願のこの実施形態において限定されない。
【０１５８】
任意で、第１のパラメータが複数の値のうち少なくとも１つであることは、第１のパラメータが１つ以上の値であり得ることとして理解されてもよい。第１のパラメータが複数の値であるとき、端末デバイスは、ランダムアクセスプリアンブル系列を生成するために、複数の値から１つを選択してもよい。これは、本出願のこの実施形態において限定されない。
【０１５９】
任意で、ネットワークデバイスは、第２の情報を端末デバイスにさらに送信してもよく、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む。対応して、端末デバイスは、ネットワークデバイスから第２の情報を受信し、第２の情報に基づいてランダムアクセスプリアンブル系列を生成してもよい。
【０１６０】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【０１６１】
任意の実施形態において、セットタイプが制限セットタイプＡであるとき、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つである。
【０１６２】
別の任意の実施形態において、セットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０１６３】
本出願のこの実施形態で提供される情報伝送方法によれば、ネットワークデバイスは、端末デバイスに対して、第２の情報を使用することにより、ランダムアクセスプリアンブル系列を生成するために使用されるセットタイプを構成することができる。セットタイプは、非制限セット、制限セットタイプＡ、又は制限セットタイプＢである。
【０１６４】
任意で、端末デバイスは、第１の情報及び第２の情報に基づいてランダムアクセスプリアンブル系列を生成してもよい。これは、本出願のこの実施形態において限定されない。
【０１６５】
任意で、ネットワークデバイスは、第３の情報を端末デバイスにさらに送信してもよく、第３の情報は、ランダムアクセスプリアンブル系列を送信するために端末デバイスにより使用される時間周波数リソースを示すために使用される。対応して、端末デバイスは、ネットワークデバイスから第３の情報を受信し、第３の情報に基づいてランダムアクセスプリアンブル系列をネットワークデバイスに送信する。
【０１６６】
任意で、端末デバイスにより、第３の情報に基づいてランダムアクセスプリアンブル系列を送信することは、端末デバイスにより、第３の情報に基づいて時間周波数リソースを決定し、該時間周波数リソース上でランダムアクセスプリアンブル系列を送信することでもよい。
【０１６７】
本出願のこの実施形態において、時間周波数リソースを示すために第３の情報が使用されることは、第３の情報が時間周波数リソースを明示的に示す及び／又は暗黙的に示すこととして理解され得ることを理解されたい。これは、本出願のこの実施形態において限定されない。
【０１６８】
任意で、通信システムのランダムアクセスチャネルのサブキャリア間隔の値は、本出願のこの実施形態において限定されない。サブキャリア間隔は、例えば、１．２５ＫＨｚ、５ＫＨｚ、又は別の値でもよい。
【０１６９】
ＬＴＥシステムにおいて、ネットワークデバイスは、フィールドhighSpeedFlagを使用することにより、リリースＲｅｌ‐１３又はそれ以前のリリースにおける端末デバイスに対して、非制限セット又は制限セットタイプＡを使用することによりランダムアクセスプリアンブル系列を生成するように指示し、フィールドPRACH-Config-v1430がシステムメッセージでブロードキャストされるかどうかに基づいて、Ｒｅｌ‐１４  ＵＥがランダムアクセスプリアンブル系列を生成するために制限セットタイプＢを使用すべきかどうかを示すことを理解されたい。
【０１７０】
換言すれば、３つの異なるセットタイプは、２つのシグナリングを使用することにより示される必要がある。したがって、従来技術では、ランダムアクセスプリアンブル系列を生成するために端末デバイスにより使用されるセットタイプを示すために使用されるシグナリングは比較的複雑である。
【０１７１】
図３は、本出願の一実施形態による情報伝送方法３００の概略フローチャートである。方法３００は、図１に示す通信システムに適用できる。
【０１７２】
Ｓ３１０．ネットワークデバイスが、第２の情報を端末デバイスに送信し、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含み、対応して、端末デバイスが、ネットワークデバイスから第２の情報を受信する。
【０１７３】
Ｓ３２０．端末デバイスが、第２の情報に基づいてランダムアクセスプリアンブル系列を生成する。
【０１７４】
本出願のこの実施形態で提供される情報伝送方法によれば、ネットワークデバイスは、第２の情報を使用することにより端末デバイスに対して、ランダムアクセスプリアンブル系列を生成するために使用されるセットタイプを構成することができる。セットタイプは、非制限セット、制限セットタイプＡ、又は制限セットタイプＢである。
【０１７５】
任意で、Ｓ３１０の前に、ネットワークデバイスは、セットタイプを最初に決定してもよい。
【０１７６】
任意で、Ｓ３２０において、端末デバイスにより、第２の情報に基づいてランダムアクセスプリアンブル系列を生成することは、端末デバイスにより、第２の情報に基づいてセットタイプを決定し、セットタイプに基づいてランダムアクセスプリアンブル系列を生成することでもよい。
【０１７７】
任意で、Ｓ３１０において、ネットワークデバイスにより、第２の情報を端末デバイスに送信することは、ネットワークデバイスにより、第１のシグナリングを使用することにより第２の情報を端末デバイスに送信することでもよい。
【０１７８】
任意で、第１のシグナリングは、例えば、残存システム情報（remaining  system  information、ＲＭＳＩ）におけるシグナリング又は他のシグナリングでもよい。これは、本出願のこの実施形態において限定されない。
【０１７９】
任意で、本出願のこの実施形態における第１のシグナリングは、既存のシグナリング又は新たに設計されたシグナリングでもよい。これは、本出願のこの実施形態において限定されない。
【０１８０】
任意で、ネットワークデバイスは、第１のシグナリングの第１のフィールドを使用することにより、第２の情報を端末デバイスに送信してもよい。
【０１８１】
本出願のこの実施形態において、第２の情報がセットタイプを示すために使用されることは、第２の情報がセットタイプを明示的に示す及び／又は暗黙的に示すこととして理解され得ることを理解されたい。これは、本出願のこの実施形態において限定されない。
【０１８２】
任意の実施形態において、第２の情報は、セットタイプを明示的に示してもよい。例えば、ネットワークデバイスは、第１のフィールドを使用することにより、セットタイプが非制限セット、制限セットタイプＡ、又は制限セットタイプＢであることを明示的に示す。
【０１８３】
任意で、第１のシグナリングがＲＭＳＩ内のシグナリングであるとき、第１のフィールドはフィールドhighSpeedFlagでもよい。
【０１８４】
任意で、本出願のこの実施形態の第１のフィールドは、既存のフィールド、又は既存のシグナリングにおける新たに設計されたフィールドでもよい。これは、本出願のこの実施形態において限定されない。
【０１８５】
例えば、既存のＲＭＳＩにおける１つのシグナリングは、以下のとおりである。
【数１】
0006908779.tif 000008
【０１８６】
具体的には、端末デバイスは、フィールドhighSpeedFlagを使用することにより、非制限セット又は制限セットタイプＡに対応する生成方法を使用することによりランダムアクセスプリアンブル系列を生成するように指示される。
【０１８７】
例えば、フィールドhighSpeedFlagの値が０であるとき、それは非制限セットが使用されるべきであることを示す。あるいは、フィールドhighSpeedFlagの値が１であるとき、それは制限セットタイプＡが使用されるべきであることを示す。これは、本出願のこの実施形態において限定されない。
【０１８８】
任意で、本出願のこの実施形態において、前述のシグナリングは以下のように変更されてもよい。
【数２】
0006908779.tif 000009
【０１８９】
具体的には、フィールドhighSpeedFlagの変数型がブーリアン型（boolean）から整数（integer）型に変更され、端末デバイスは、フィールドの異なる値を使用することにより、非制限セット、制限セットタイプＡ、又は制限セットタイプＢを使用するように指示される。
【０１９０】
本出願のこの実施形態で提供される情報伝送方法によれば、３つのセットタイプは１つのシグナリングを使用することにより示すことができる。シグナリング手順が比較的簡素であり、構成が柔軟である。
【０１９１】
別の任意の実施形態において、第２の情報は、セットタイプを暗黙的に示し得る。例えば、ネットワークデバイスが、第１のフィールドを端末デバイスに送信し、第１のフィールドは、第２のフィールドが送信されるかどうかを示すことにより、端末デバイスにより使用されるセットタイプが第１のタイプのセットであるか又は別のタイプのセット（第２のタイプのセットと第３のタイプのセットを含む）であるかを示すために使用され、第１のフィールドが、第２のフィールドが送信されることを示すとき、第２のフィールドは、セットタイプが第２のタイプのセット又は第３のタイプのセットであることを示すために使用される。
【０１９２】
対応して、端末デバイスは、第２のフィールドが送信されるかどうかを示す第１のフィールドに基づいて、セットタイプが第１のタイプのセットであるか又は別のタイプのセット（第２のタイプのセットと第３のタイプのセットを含む）であるかを決定する。例えば、第１のフィールドが、第２のフィールドが送信されないことを示す場合、端末デバイスは、セットタイプが第１のタイプのセットであると決定し、あるいは、第１のフィールドが、第２のフィールドが送信されることを示す場合、端末デバイスは、セットタイプが別のタイプのセットであると決定する。第１のフィールドが、第２のフィールドが送信されることを示すとき、端末デバイスは、第２のフィールドに基づいて、セットタイプが第２のタイプのセット又は第３のタイプのセットであることをさらに決定する。
【０１９３】
任意で、第１のフィールドが、第２のフィールドが送信されるかどうかを示すことにより端末デバイスに対して、セットタイプが第１のタイプのセットであるか又は別のタイプのセットであるかを示すために使用されることは、第１のフィールドが、端末デバイスが第２のフィールドを受信するかどうかを示すことにより、セットタイプが第１のタイプのセットであるか又は別のタイプのセットであるかを示すために使用されることとして理解されてもよく、あるいは、第１のフィールドが、端末デバイスにより受信されたシグナリングが第２のフィールドを含むかどうかを示すことにより、セットタイプが第１のタイプのセットであるか又は別のタイプのセットであるかを示すために使用されることとして理解されてもよい。これは、本出願のこの実施形態において限定されない。
【０１９４】
第１のタイプのセット、第２のタイプのセット、及び第３のタイプのセットは、非制限セット、制限セットタイプＡ、及び制限セットタイプＢと１対１対応であることを理解されたい。しかしながら、特定の対応は、本出願のこの実施形態において限定されない。
【０１９５】
さらに、第１のフィールド及び第２のフィールドの具体的な指示方法は、本出願のこの実施形態において限定されないことを理解されたい。
【０１９６】
任意で、第１のフィールド及び第２のフィールドは、同じシグナリング内で搬送されてもよく、あるいは異なるシグナリング内で搬送されてもよい。これは、本出願のこの実施形態において限定されない。
【０１９７】
任意で、第２のフィールドは、例えばフィールドhighSpeedFlagでもよい。
【０１９８】
任意で、ネットワークデバイスは、第１の情報を端末デバイスにさらに送信してもよく、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。対応して、端末デバイスは、ネットワークデバイスから第１の情報を受信し、第１の情報に基づいてランダムアクセスプリアンブル系列を生成する。
【０１９９】
本出願のこの実施形態において、第１の情報が第１のパラメータを示すために使用されることは、第１の情報が第１のパラメータを明示的に示す及び／又は暗黙的に示すこととして理解され得ることを理解されたい。これは、本出願のこの実施形態において限定されない。
【０２００】
任意で、端末デバイスは、第１の情報及び第２の情報に基づいてランダムアクセスプリアンブル系列を生成してもよい。これは、本出願のこの実施形態において限定されない。
【０２０１】
任意で、セットタイプが制限セットタイプＡであるとき、ランダムアクセスプリアンブル系列を生成するために端末デバイスにより使用される第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０２０２】
任意で、ネットワークデバイスは、第３の情報を端末デバイスに送信し、第３の情報は、ランダムアクセスプリアンブル系列を送信するために端末デバイスにより使用される時間周波数リソースを示すために使用される。対応して、端末デバイスは、ネットワークデバイスから第３の情報を受信し、第３の情報に基づいてランダムアクセスプリアンブル系列を送信してもよい。
【０２０３】
任意で、端末デバイスにより、第３の情報に基づいてランダムアクセスプリアンブル系列を送信することは、端末デバイスにより、第３の情報に基づいてランダムアクセスプリアンブル系列を送信するための時間周波数リソースを決定し、決定された時間周波数リソース上でランダムアクセスプリアンブル系列を送信することを含む。
【０２０４】
本出願のこの実施形態において、第３の情報が時間周波数リソースを示すために使用されることは、第３の情報が時間周波数リソースを明示的に示す及び／又は暗黙的に示すこととして理解され得ることを理解されたい。これは、本出願のこの実施形態において限定されない。
【０２０５】
任意で、通信システムのランダムアクセスチャネルのサブキャリア間隔の値は、本出願のこの実施形態において限定されない。サブキャリア間隔は、例えば、１．２５ＫＨｚ、５ＫＨｚ、又は別の値でもよい。
【０２０６】
図４は、本出願の一実施形態による情報伝送方法４００の概略フローチャートである。この方法４００は、図１に示す通信システム１００に適用される。
【０２０７】
Ｓ４１０．ネットワークデバイスが、第１の情報を端末デバイスに送信し、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つであり、対応して、端末デバイスが、ネットワークデバイスから第１の情報を受信する。
【０２０８】
Ｓ４２０．ネットワークデバイスが、第２の情報を端末デバイスに送信し、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含み、対応して、端末デバイスが、ネットワークデバイスから第２の情報を受信する。
【０２０９】
任意で、ネットワークデバイスは、第１のシグナリングを使用することにより、第２の情報を端末デバイスに送信してもよい。
【０２１０】
任意で、ネットワークデバイスは、第１のシグナリングの第１のフィールドを使用することにより、第２の情報を端末デバイスに送信してもよい。
【０２１１】
Ｓ４３０．端末デバイスが、第１の情報及び第２の情報に基づいてランダムアクセスプリアンブル系列を生成する。
【０２１２】
任意で、端末デバイスは、第１の情報に基づいて第１のパラメータを決定し、第２の情報に基づいてセットタイプを決定し、第１のパラメータ及びセットタイプに基づいてランダムアクセスプリアンブル系列を生成してもよい。
【０２１３】
Ｓ４４０．ネットワークデバイスが、第３の情報を端末デバイスに送信し、第３の情報は、ランダムアクセスプリアンブル系列を送信するために端末デバイスにより使用される時間周波数リソースを示すために使用され、対応して、端末デバイスが、ネットワークデバイスから第３の情報を受信する。
【０２１４】
Ｓ４５０．端末デバイスが、第３の情報に基づいてランダムアクセスプリアンブル系列をネットワークデバイスに送信する。
【０２１５】
任意で、端末デバイスは、第３の情報に基づいて時間周波数リソースを決定し、該時間周波数リソース上でランダムアクセスプリアンブル系列を送信してもよい。
【０２１６】
本出願のこの実施形態において、Ｓ４１０、Ｓ４２０、及びＳ４４０の実行順序は存在しないことを理解されたい。
【０２１７】
上記では図１〜図４を参照して本出願の実施形態で提供される情報伝送方法を詳細に説明しており、以下では図５〜図１２を参照して本出願の実施形態で提供される情報伝送装置を説明する。
【０２１８】
図５は、本出願の一実施形態による情報伝送装置５００の概略ブロック図である。装置５００は、
第１の情報を端末デバイスに送信するように構成された送信ユニット５１０であり、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである、送信ユニット５１０
を含む。
【０２１９】
任意で、装置５００は、処理ユニット５２０をさらに含み、処理ユニット５２０は、送信ユニット５１０が第１の情報を端末デバイスに送信する前に第１の情報を決定するように構成される。
【０２２０】
任意で、送信ユニットは、第２の情報を端末デバイスに送信するようにさらに構成される。第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む。
【０２２１】
任意で、セットタイプが制限セットタイプＡであるとき、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０２２２】
任意で、第１のパラメータはゼロ相関ゾーンである。
【０２２３】
本明細書における装置５００は、機能ユニットの形態で表されることを理解されたい。本明細書での用語「ユニット」は、特定用途向け集積回路（application  specific  integrated  circuit、ＡＳＩＣ）、電子回路、１つ以上のソフトウェア又はファームウェアプログラムを実行するプロセッサ（例えば、共有プロセッサ、専用プロセッサ、又はパケットプロセッサ）及びメモリ、組み合わせ論理回路、及び／又は説明された機能をサポートする別の適切なコンポーネントでもよい。任意の例において、装置５００は、具体的に方法２００〜方法４００の前述の実施形態におけるネットワークデバイスでもよく、装置５００は、方法２００〜方法４００の前述の実施形態におけるネットワークデバイスに対応する手順及び／又はステップを実行するように構成されてもよいことを当業者は理解し得る。繰り返しを回避するために、詳細はここで再度説明されない。
【０２２４】
図６は、本出願の一実施形態による情報伝送装置６００の概略ブロック図である。装置６００は、
ネットワークデバイスから第１の情報を受信するように構成された受信ユニット６１０であり、第１の情報は、ランダムアクセスプリアンブル系列を生成するために端末デバイスにより使用される第１のパラメータを示すために使用され、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいは第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである、受信ユニット６１０と、
受信ユニット６１０により受信された第１の情報に基づいてランダムアクセスプリアンブル系列を生成するように構成された処理ユニット６２０と、
を含む。
【０２２５】
任意選択で、処理ユニットは、第１の情報に基づいて第１のパラメータを決定し、第１のパラメータに基づいてランダムアクセスプリアンブル系列を生成するように具体的に構成される。
【０２２６】
任意で、受信ユニットは、ネットワークデバイスから第２の情報を受信するようにさらに構成される。第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む。処理ユニットは、第１の情報及び第２の情報に基づいてランダムアクセスプリアンブル系列を生成するように具体的に構成される。
【０２２７】
任意で、セットタイプが制限セットタイプＡであるとき、第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１２２、１０９、９７、８５、８１、７７、７１、６８、６５、６３、６０、５７、５４、５３、５１、及び５０のうち少なくとも１つである。
【０２２８】
任意で、第１のパラメータはゼロ相関ゾーンである。
【０２２９】
本明細書における装置６００は、機能ユニットの形態で表されることを理解されたい。本明細書での用語「ユニット」は、ＡＳＩＣ、電子回路、１つ以上のソフトウェア又はファームウェアプログラムを実行するプロセッサ（例えば、共有プロセッサ、専用プロセッサ、又はパケットプロセッサ）及びメモリ、組み合わせ論理回路、及び／又は説明された機能をサポートする別の適切なコンポーネントでもよい。任意の例において、装置６００は、具体的に方法２００〜方法４００の前述の実施形態における端末デバイスでもよく、装置６００は、方法２００〜方法４００の前述の実施形態における端末デバイスに対応する手順及び／又はステップを実行するように構成されてもよいことを当業者は理解し得る。繰り返しを回避するために、詳細はここで再度説明されない。
【０２３０】
図７は、本出願の一実施形態による情報伝送装置７００の概略ブロック図である。装置７００は、
第２の情報を端末デバイスに送信するように構成された送信ユニット７１０であり、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む、送信ユニット７１０
を含む。
【０２３１】
任意で、装置７００は、処理ユニット７２０をさらに含み、処理ユニット７２０は、送信ユニット７１０が第２の情報を送信する前にセットタイプを決定するように構成される。
【０２３２】
任意で、送信ユニットは、第１のシグナリングを使用することにより、第２の情報を端末デバイスに送信するように具体的に構成される。
【０２３３】
任意で、第２の情報は、第１のシグナリングの第１のフィールド内で搬送される。
【０２３４】
任意で、セットタイプが制限セットタイプＡであるとき、ランダムアクセスプリアンブル系列を生成するために端末デバイスにより使用される第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０２３５】
本明細書における装置７００は、機能ユニットの形態で表されることを理解されたい。本明細書での用語「ユニット」は、ＡＳＩＣ、電子回路、１つ以上のソフトウェア又はファームウェアプログラムを実行するプロセッサ（例えば、共有プロセッサ、専用プロセッサ、又はパケットプロセッサ）及びメモリ、組み合わせ論理回路、及び／又は説明された機能をサポートする別の適切なコンポーネントでもよい。任意の例において、装置７００は、具体的に方法２００〜方法４００の前述の実施形態におけるネットワークデバイスでもよく、装置７００は、方法２００〜方法４００の前述の実施形態におけるネットワークデバイスに対応する手順及び／又はステップを実行するように構成されてもよいことを当業者は理解し得る。繰り返しを回避するために、詳細はここで再度説明されない。
【０２３６】
図８は、本出願の一実施形態による情報伝送装置８００の概略ブロック図である。装置８００は、
ネットワークデバイスから第２の情報を受信するように構成された受信ユニット８１０であり、第２の情報は、ランダムアクセスプリアンブル系列を生成するために端末デバイスにより使用されるセットタイプを示すために使用され、セットタイプは、非制限セット、制限セットタイプＡ、又は制限セットタイプＢを含む、受信ユニット８１０と、
受信ユニット８１０により受信された第２の情報に基づいてランダムアクセスプリアンブル系列を生成するように構成された処理ユニット８２０と、
を含む。
【０２３７】
任意で、処理ユニットは、第２の情報に基づいてセットタイプを決定し、セットタイプに基づいてランダムアクセスプリアンブル系列を生成するように具体的に構成される。
【０２３８】
任意で、受信ユニットは、第１のシグナリングを使用することにより、ネットワークデバイスから第２の情報を受信するように具体的に構成される。
【０２３９】
任意で、第２の情報は、第１のシグナリングの第１のフィールド内で搬送される。
【０２４０】
任意で、セットタイプが制限セットタイプＡであるとき、ランダムアクセスプリアンブル系列を生成するために端末デバイスにより使用される第１のパラメータは、２３７、２１６、１９５、１７３、１５２、１３７、１３２、１２７、１２１、１１７、１１２、１０８、１０３、９９、９４、９１、８９、８６、８４、８１、７７、７４、７２、６９、６８、６７、６６、６４、６３、６２、６１、５９、５８、及び５７のうち少なくとも１つであり、あるいはセットタイプが制限セットタイプＢであるとき、第１のパラメータは、１５３、１３７、１２２、１０９、９７、８５、８１、７７、７４、７１、６８、６５、６３、６０、５７、５５、５３、５１、５０、４８、４７、及び４５のうち少なくとも１つである。
【０２４１】
本明細書における装置８００は、機能ユニットの形態で表されることを理解されたい。本明細書での用語「ユニット」は、ＡＳＩＣ、電子回路、１つ以上のソフトウェア又はファームウェアプログラムを実行するプロセッサ（例えば、共有プロセッサ、専用プロセッサ、又はパケットプロセッサ）及びメモリ、組み合わせ論理回路、及び／又は説明された機能をサポートする別の適切なコンポーネントでもよい。任意の例において、装置８００は、具体的に方法２００〜方法４００の前述の実施形態における端末デバイスでもよく、装置８００は、方法２００〜方法４００の前述の実施形態における端末デバイスに対応する手順及び／又はステップを実行するように構成されてもよいことを当業者は理解し得る。繰り返しを回避するために、詳細はここで再度説明されない。
【０２４２】
図９は、本出願の一実施形態による情報伝送装置９００を示す。装置９００は、図１〜図４におけるネットワークデバイスでもよく、図９に示すハードウェアアーキテクチャがネットワークデバイスで使用されてもよい。ネットワークデバイスは、プロセッサ９１０、トランシーバ９２０、及びメモリ９３０を含んでもよい。プロセッサ９１０、トランシーバ９２０、及びメモリ９３０は、内部接続パスを使用することにより互いに通信する。図５の処理ユニット５２０により実現される関連機能が、プロセッサ９１０により実現されてもよく、図５の送信ユニット５１０により実現される関連機能が、プロセッサ９１０によりトランシーバ９２０を制御することにより実現されてもよい。
【０２４３】
プロセッサ９１０は、１つ以上のプロセッサ、例えば１つ以上の中央処理装置（central  processing  unit、ＣＰＵ）を含んでもよい。プロセッサが１つのＣＰＵであるとき、ＣＰＵはシングルコアＣＰＵでもよく、あるいはマルチコアＣＰＵでもよい。
【０２４４】
トランシーバ９２０は、データ及び／又は信号を送信し、データ及び／又は信号を受信するように構成される。トランシーバは、送信機及び受信機を含んでもよく、送信機は、データ及び／又は信号を送信するように構成され、受信機は、データ及び／又は信号を受信するように構成される。
【０２４５】
メモリ９３０は、これらに限られないがランダムアクセスメモリ（random  access  memory、ＲＡＭ）、読取専用メモリ（read-only  memory、ＲＯＭ）、消去可能プログラマブルメモリ（erasable  programmable  read  only  memory、ＥＰＲＯＭ）、及びコンパクトディスク読取専用メモリ（compact  disc  read-only  memory、ＣＤ‐ＲＯＭ）を含む。メモリ９３０は、関連命令及び関連データを記憶するように構成される。
【０２４６】
メモリ９３０は、ネットワークデバイスのプログラムコード及びデータを記憶するように構成される。メモリ９３０は、独立したコンポーネントでもよく、あるいはプロセッサ９１０に統合されてもよい。
【０２４７】
具体的に、プロセッサ９１０は、トランシーバを制御して端末デバイスと通信するように構成される。詳細については方法の実施形態の説明を参照する。詳細はここで再度説明されない。
【０２４８】
図９は、ネットワークデバイスの単に簡略化された設計を示すことが理解され得る。実際の適用において、ネットワークデバイスは、これらに限られないが任意の数量のトランシーバ、プロセッサ、コントローラ、メモリなどを含む、他の必要な要素をさらに含んでもよい。本出願を実現可能なすべてのネットワークデバイスが本出願の保護範囲内に入る。
【０２４９】
可能な設計において、装置９００は、チップ、例えば、ネットワークデバイス内で使用でき、かつネットワークデバイス内でプロセッサ９１０の関連機能を実現するように構成された通信チップでもよい。チップは、フィールドプログラマブルゲートアレイ、特定用途向け集積チップ、システムチップ、中央処理装置、ネットワークプロセッサ、デジタル信号処理回路、又は関連機能を実現できるマイクロコントローラでもよく、あるいはプログラマブルコントローラ又は別の集積チップでもよい。任意で、チップは、プログラムコードを記憶するように構成された１つ以上のメモリを含んでもよい。コードが実行されると、プロセッサは対応する機能を実現する。
【０２５０】
図１０は、本出願の一実施形態による情報伝送装置１０００を示す。装置１０００は、図１〜図４における端末デバイスでもよく、図１０に示すハードウェアアーキテクチャが端末デバイスで使用されてもよい。端末デバイスは、プロセッサ１０１０、トランシーバ１０２０、及びメモリ１０３０を含んでもよい。プロセッサ１０１０、トランシーバ１０２０、及びメモリ１０３０は、内部接続パスを使用することにより互いに通信する。図６の処理ユニット６２０により実現される関連機能が、プロセッサ１０１０により実現されてもよく、図６の受信ユニット６１０により実現される関連機能が、プロセッサ１０１０によりトランシーバ１０２０を制御することにより実現されてもよい。
【０２５１】
プロセッサ１０１０は、１つ以上のプロセッサ、例えば１つ以上のＣＰＵを含んでもよい。プロセッサが１つのＣＰＵであるとき、ＣＰＵはシングルコアＣＰＵでもよく、あるいはマルチコアＣＰＵでもよい。
【０２５２】
トランシーバ１０２０は、データ及び／又は信号を送信し、データ及び／又は信号を受信するように構成される。トランシーバは、送信機及び受信機を含んでもよく、送信機は、データ及び／又は信号を送信するように構成され、受信機は、データ及び／又は信号を受信するように構成される。
【０２５３】
メモリ１０３０は、これらに限られないがＲＡＭ、ＲＯＭ、ＥＰＲＯＭ、及びＣＤ‐ＲＯＭを含む。メモリ１０３０は、関連命令及び関連データを記憶するように構成される。
【０２５４】
メモリ１０３０は、端末デバイスのプログラムコード及びデータを記憶するように構成される。メモリ１０３０は、独立したコンポーネントでもよく、あるいはプロセッサ１０１０に統合されてもよい。
【０２５５】
具体的に、プロセッサ１０１０は、トランシーバを制御してネットワークデバイスと通信するように構成される。詳細については方法の実施形態の説明を参照する。詳細はここで再度説明されない。
【０２５６】
図１０は、端末デバイスの単に簡略化された設計を示すことが理解され得る。実際の適用において、端末デバイスは、これらに限られないが任意の数量のトランシーバ、プロセッサ、コントローラ、メモリなどを含む、他の必要な要素をさらに含んでもよい。本出願を実現可能なすべての端末デバイスが本出願の保護範囲内に入る。
【０２５７】
可能な設計において、装置１０００は、チップ、例えば、端末デバイス内で使用でき、かつ端末デバイス内でプロセッサ１０１０の関連機能を実現するように構成された通信チップでもよい。チップは、フィールドプログラマブルゲートアレイ、特定用途向け集積チップ、システムチップ、中央処理装置、ネットワークプロセッサ、デジタル信号処理回路、又は関連機能を実現できるマイクロコントローラでもよく、あるいはプログラマブルコントローラ又は別の集積チップでもよい。任意で、チップは、プログラムコードを記憶するように構成された１つ以上のメモリを含んでもよい。コードが実行されると、プロセッサは対応する機能を実現する。
【０２５８】
図１１は、本出願の一実施形態による情報伝送装置１１００を示す。装置１１００は、図１〜図４におけるネットワークデバイスでもよく、図１１に示すハードウェアアーキテクチャがネットワークデバイスで使用されてもよい。ネットワークデバイスは、プロセッサ１１１０、トランシーバ１１２０、及びメモリ１１３０を含んでもよい。プロセッサ１１１０、トランシーバ１１２０、及びメモリ１１３０は、内部接続パスを使用することにより互いに通信する。図７の処理ユニット７２０により実現される関連機能が、プロセッサ１１１０により実現されてもよく、図７の送信ユニット７１０により実現される関連機能が、プロセッサ１１１０によりトランシーバ１１２０を制御することにより実現されてもよい。
【０２５９】
プロセッサ１１１０は、１つ以上のプロセッサ、例えば１つ以上のＣＰＵを含んでもよい。プロセッサが１つのＣＰＵであるとき、ＣＰＵはシングルコアＣＰＵでもよく、あるいはマルチコアＣＰＵでもよい。
【０２６０】
トランシーバ１１２０は、データ及び／又は信号を送信し、データ及び／又は信号を受信するように構成される。トランシーバは、送信機及び受信機を含んでもよく、送信機は、データ及び／又は信号を送信するように構成され、受信機は、データ及び／又は信号を受信するように構成される。
【０２６１】
メモリ１１３０は、これらに限られないがＲＡＭ、ＲＯＭ、ＥＰＲＯＭ、及びＣＤ‐ＲＯＭを含む。メモリ１１３０は、関連命令及び関連データを記憶するように構成される。
【０２６２】
メモリ１１３０は、ネットワークデバイスのプログラムコード及びデータを記憶するように構成される。メモリ１１３０は、独立したコンポーネントでもよく、あるいはプロセッサ１１１０に統合されてもよい。
【０２６３】
具体的に、プロセッサ１１１０は、トランシーバを制御して端末デバイスと通信するように構成される。詳細については方法の実施形態の説明を参照する。詳細はここで再度説明されない。
【０２６４】
図１１は、ネットワークデバイスの単に簡略化された設計を示すことが理解され得る。実際の適用において、ネットワークデバイスは、これらに限られないが任意の数量のトランシーバ、プロセッサ、コントローラ、メモリなどを含む、他の必要な要素をさらに含んでもよい。本出願を実現可能なすべてのネットワークデバイスが本出願の保護範囲内に入る。
【０２６５】
可能な設計において、装置１１００は、チップ、例えば、ネットワークデバイス内で使用でき、かつネットワークデバイス内でプロセッサ１１１０の関連機能を実現するように構成された通信チップでもよい。チップは、フィールドプログラマブルゲートアレイ、特定用途向け集積チップ、システムチップ、中央処理装置、ネットワークプロセッサ、デジタル信号処理回路、又は関連機能を実現できるマイクロコントローラでもよく、あるいはプログラマブルコントローラ又は別の集積チップでもよい。任意で、チップは、プログラムコードを記憶するように構成された１つ以上のメモリを含んでもよい。コードが実行されると、プロセッサは対応する機能を実現する。
【０２６６】
図１２は、本出願の一実施形態による情報伝送装置１２００を示す。装置１２００は、図１〜図４における端末デバイスでもよく、図１２に示すハードウェアアーキテクチャが端末デバイスで使用されてもよい。端末デバイスは、プロセッサ１２１０、トランシーバ１２２０、及びメモリ１２３０を含んでもよい。プロセッサ１２１０、トランシーバ１２２０、及びメモリ１２３０は、内部接続パスを使用することにより互いに通信する。図８の処理ユニット８２０により実現される関連機能が、プロセッサ１２１０により実現されてもよく、図８の受信ユニット８１０により実現される関連機能が、プロセッサ１２１０によりトランシーバ１２２０を制御することにより実現されてもよい。
【０２６７】
プロセッサ１２１０は、１つ以上のプロセッサ、例えば１つ以上のＣＰＵを含んでもよい。プロセッサが１つのＣＰＵであるとき、ＣＰＵはシングルコアＣＰＵでもよく、あるいはマルチコアＣＰＵでもよい。
【０２６８】
トランシーバ１２２０は、データ及び／又は信号を送信し、データ及び／又は信号を受信するように構成される。トランシーバは、送信機及び受信機を含んでもよく、送信機は、データ及び／又は信号を送信するように構成され、受信機は、データ及び／又は信号を受信するように構成される。
【０２６９】
メモリ１２３０は、これらに限られないがＲＡＭ、ＲＯＭ、ＥＰＲＯＭ、及びＣＤ‐ＲＯＭを含む。メモリ１２３０は、関連命令及び関連データを記憶するように構成される。
【０２７０】
メモリ１２３０は、端末デバイスのプログラムコード及びデータを記憶するように構成される。メモリ１２３０は、独立したコンポーネントでもよく、あるいはプロセッサ１２１０に統合されてもよい。
【０２７１】
具体的に、プロセッサ１２１０は、トランシーバを制御してネットワークデバイスと通信するように構成される。詳細については方法の実施形態の説明を参照する。詳細はここで再度説明されない。
【０２７２】
図１２は、端末デバイスの単に簡略化された設計を示すことが理解され得る。実際の適用において、端末デバイスは、これらに限られないが任意の数量のトランシーバ、プロセッサ、コントローラ、メモリなどを含む、他の必要な要素をさらに含んでもよい。本出願を実現可能なすべての端末デバイスが本出願の保護範囲内に入る。
【０２７３】
可能な設計において、装置１２００は、チップ、例えば、端末デバイス内で使用でき、かつ端末デバイス内でプロセッサ１２１０の関連機能を実現するように構成された通信チップでもよい。チップは、フィールドプログラマブルゲートアレイ、特定用途向け集積チップ、システムチップ、中央処理装置、ネットワークプロセッサ、デジタル信号処理回路、又は関連機能を実現できるマイクロコントローラでもよく、あるいはプログラマブルコントローラ又は別の集積チップでもよい。任意で、チップは、プログラムコードを記憶するように構成された１つ以上のメモリを含んでもよい。コードが実行されると、プロセッサは対応する機能を実現する。
【０２７４】
当業者は、本明細書に開示される実施形態で説明される例と組み合わせて、ユニット及びアルゴリズムステップが電子ハードウェア又はコンピュータソフトウェアと電子ハードウェアとの組み合わせにより実現可能であることを認識し得る。機能がハードウェアにより実行されるか又はソフトウェアにより実行されるかは、技術的解決策の特定の適用及び設計制約条件に依存する。当業者は、特定の適用ごとに説明された機能を実現するために異なる方法を使用し得るが、その実現が本出願の範囲を超えるものと考えられるべきではない。
【０２７５】
当業者は、簡便及び簡潔な説明のために、前述のシステム、装置、及びユニットの詳細な作業処理については前述の方法の実施形態における対応する処理を参照することを明確に理解し得る。詳細はここで再度説明されない。
【０２７６】
本出願で提供されるいくつかの実施形態において、開示されたシステム、装置、及び方法は他の方法で実現されてもよいことを理解されたい。例えば、説明された装置の実施形態は例に過ぎない。例えば、ユニット分割は論理機能分割に過ぎず、実際の実装において他の分割であってもよい。例えば、複数のユニット又はコンポーネントが組み合わせられ、又は別のシステムに統合されてもよく、あるいは、いくつかの特徴が無視されてもよく、又は実行されなくてもよい。さらに、表示され又は論じられた相互結合又は直接結合又は通信接続は、いくつかのインターフェースを使用することにより実現されてよい。装置又はユニット間の間接結合又は通信接続は、電子的、機械的、又は他の形式で実現されてもよい。
【０２７７】
別個の部分として説明されたユニットは、物理的に別個であっても又はそうでなくてもよく、ユニットとして表示された部分は、物理的ユニットであっても又はそうでなくてもよく、具体的には、１つの場所に配置されてもよく、あるいは複数のネットワークユニット上に分散されてもよい。ユニットの一部又は全部が、実施形態の解決策の目的を達成するために、実際の要件に基づいて選択されてよい。
【０２７８】
さらに、本出願の実施形態における機能ユニットは１つの処理ユニットに統合されてもよく、あるいはユニットの各々が物理的に単独で存在してもよく、あるいは２つ以上のユニットが１つのユニットに統合されてもよい。
【０２７９】
機能がソフトウェア機能ユニットの形態で実現され、独立したプロダクトとして販売又は使用されるとき、機能はコンピュータ読取可能記憶媒体に記憶されてもよい。このような理解に基づいて、本質的に本出願の技術的解決策、又は先行技術に寄与する部分、又は技術的解決策のいくつかは、ソフトウェアプロダクトの形式で実現されてもよい。コンピュータソフトウェアプロダクトは記憶媒体に記憶され、コンピュータデバイス（これはパーソナルコンピュータ、サーバ、ネットワークデバイスなどであってもよい）に本出願の実施形態に説明される方法のステップの全部又は一部を実行するように命令するためのいくつかの命令を含む。前述の記憶媒体は、ＵＳＢフラッシュドライブ、取外し可能ハードディスク、ＲＯＭ、ＲＡＭ、磁気ディスク、又は光ディスクなどの、プログラムコードを記憶できる任意の媒体を含む。
【０２８０】
前述の説明は本出願の具体的な実装に過ぎず、本出願の保護範囲を制限することは意図されない。本出願で開示された技術的範囲内で当業者により容易に理解されるいかなる変形又は置換も本出願の保護範囲内に入るものとする。したがって、本出願の保護範囲は特許請求の範囲の保護範囲に従うものとする。
【図１】
0006908779.tif 000010
【図２】
0006908779.tif 000011
【図３】
0006908779.tif 000012
【図４】
0006908779.tif 000013
【図５】
0006908779.tif 000014
【図６】
0006908779.tif 000015
【図７】
0006908779.tif 000016
【図８】
0006908779.tif 000017
【図９】
0006908779.tif 000018
【図１０】
0006908779.tif 000019
【図１１】
0006908779.tif 000020
【図１２】
0006908779.tif 000021